(57)【要約】【課題】ヒューム管を正確な据付位置に誘導することが可能で、据付作業等も極めて短くなる管据付位置誘導装置及び管敷設方法を提供する。【手段】管据付位置誘導装置４は、板状基盤２５、高さ調整ボルト２２、基盤２５を基台１１上に仮固定するズレ止めアンカー２１、吊り下げられて溝の底部に下降するヒューム管１の外周面に当接してヒューム管１を所定の据付位置に誘導する一対の案内手段を備える。案内手段は、ガイド部材４０及び固定ボルト３０から構成される。案内手段は、敷設されるヒューム管１の径に応じて基盤２５の延在方向に移動調整可能に構成されている。【選択図】図１
2017020518.tif 000002
【特許請求の範囲】
【請求項１】
敷設すべき溝の底部に打設された基台上にヒューム管を敷設するに際して、前記ヒューム管を前記敷設溝内の所定の据付位置に誘導するために用いられる管据付位置誘導装置であって、
水平面内で且つ前記ヒューム管の軸方向に垂直な方向に延在する板状の基盤と、
前記基盤を高さ方向に調整可能とする高さ調整手段と、
前記基盤に設けられ、前記基盤を前記基台上に仮固定する仮固定手段と、
前記基盤の中央部の両側にそれぞれ設けられた一対の案内手段であって、吊り下げられて溝の底部に下降する前記ヒューム管の外周面に当接してヒューム管を所定の据付位置に誘導するための一対の案内手段と、
前記基台と前記敷設されるヒューム管との間に介在し、前記ヒューム管を前記基台から所定間隔離れた状態に保持する保持部材と、
を備え、
前記一対の案内手段は、敷設されるヒューム管の径に応じて前記基盤の延在方向に移動調整可能に構成されていることを特徴とする管据付決め位置誘導装置。
【請求項２】
前記一対の案内手段は、
固定ボルトと、
前記ヒューム管の外周面に当接しヒューム管を所定の据付位置に誘導する誘導部と、固定ボルトが挿通する挿通孔とを有するＬ字状のガイド部材と、
前記誘導部を、敷設されるヒューム管の径に応じた位置に移動調整させる複数の移動調整用孔と、
を備え、
ヒューム管の径に応じた誘導部の移動調整時には、前記挿通孔がヒューム管の径に応じた移動調整用孔と一致するまでＬ字状のガイド部材を移動させ、この状態で固定ボルトを前記挿通孔及び前記移動調整用孔を挿通させて固定する請求項１記載の管据付決め位置誘導装置。
【請求項３】
前記保持部材は複数の帯鋼から構成されている請求項１記載の管据付決め位置誘導装置。
【請求項４】
敷設すべき溝の底部に打設された基台上にヒューム管を敷設する管敷設方法であって、
ヒューム管を地上から基台に下降させる下降工程と、
下降工程中において、請求項１又は２記載の管据付位置誘導装置を用いてヒューム管を所定据付位置に自動的に誘導する誘導工程と、
を含むことを特徴とする管敷設方法。
【請求項５】
前記誘導工程によって所定位置に誘導されたヒューム管を、水圧ジャッキを駆動して押し込み、既設されているヒューム管に新たなヒューム管を接合する管接合工程を含む請求項４記載の管敷設方法。
【発明の詳細な説明】
【技術分野】
【０００１】
本発明は、ヒューム管の地中埋設施工時において、該ヒューム管を敷設溝内の所定位置（決め位置）に据置くために用いられる管据付位置誘導装置、及び該管据付位置誘導装置を用いて管を敷設する管敷設方法に関するものである。
【背景技術】
【０００２】
ヒューム管の地中埋設施工法として、埋設する場所や土地の状況によって、地盤にトンネルを掘削し、そのトンネル中にヒューム管を敷設する推進工法（特許文献１参照）や、地盤に敷設溝を掘削し、その敷設溝の底部に打設された基台上にヒューム管を敷設し、複数のヒューム管を連結して敷設した後、土砂等で盛土する開削工法が行われている。
開削工法による管敷設方法においては、従来より、ヒューム管を管据付位置に据付けるために、管下流側を据付済の管に少し差し込んで接合した後、荷締機やバール等を用いてヒューム管同士が直線状に連結状態となるように据付調整を行っていた。
【先行技術文献】
【特許文献】
【０００３】
【特許文献１】特開平６−１９３３８７号公報
【発明の概要】
【発明が解決しようとする課題】
【０００４】
管の敷設作業は、設計図面に基づいて、管底（円形管の一番低い点）が所定の勾配で且つ直線で、標高が定められた起点から終点までを結んで、水をスムーズに流す為、計画線に沿って高さや、平面位置をズレなく敷設する必要がある。
このような背景の中、一本の重量が1ｔ〜5ｔもある管を所定の位置に据え付けて固定する（決める）のは、近年減少している熟練工の経験と技術が欠かせない。また、経験の浅い者が重量物を扱うのは危険が多い。
このため、上記のような従来の開削工法による管敷設方法では、正確に据付調整を行うためには、熟練工の長年の経験による技術と勘を必要とし、また、据付作業等に多大な時間を要するという問題があった。
【０００５】
本願発明は、上記課題に鑑みて考え出されたものであり、管を据え付けすべき位置である「決め位置」に予めセットすることにより、経験の浅い者が操作しても、管が自然に決め位置に来るように構成した「管据付決め位置誘導装置」であって、簡単な構成で且つ安価であると共に、熟練工の技術や勘を必要とせずにヒューム管を正確な据付位置に誘導することを可能とし、据付作業時間等も極めて短くなる管据付位置誘導装置及び、該管据付位置誘導装置を用いた管敷設方法を提供することを目的とする。
【課題を解決するための手段】
【０００６】
上記目的を達成するために請求項１記載の発明は、敷設すべき溝の底部に打設された基台上にヒューム管を敷設するに際して、前記ヒューム管を前記敷設溝内の所定の据付位置に誘導するために用いられる管据付位置誘導装置であって、水平面内で且つ前記ヒューム管の軸方向に垂直な方向に延在する板状の基盤と、前記基盤を高さ方向に調整可能とする高さ調整手段と、前記基盤に設けられ、前記基盤を前記基台上に仮固定する仮固定手段と、前記基盤の中央部の両側にそれぞれ設けられた一対の案内手段であって、吊り下げられて溝の底部に下降する前記ヒューム管の外周面に当接してヒューム管を所定の据付位置に誘導するための一対の案内手段と、前記基台と前記敷設されるヒューム管との間に介在し、前記ヒューム管を前記基台から所定間隔離れた状態に保持する保持部材と、を備え、前記一対の案内手段は、敷設されるヒューム管の径に応じて前記基盤の延在方向に移動調整可能に構成されていることを特徴とする。
【０００７】
上記構成によれば、ヒューム管を正確な据付位置に誘導することが可能で、据付作業時間等も極めて短くすることができるという優れた利点がある。
【０００８】
また、請求項２記載の発明は、請求項１記載の管据付決め位置誘導装置であって、前記一対の案内手段は、固定ボルトと、前記ヒューム管の外周面に当接しヒューム管を所定の据付位置に誘導する誘導部と、固定ボルトが挿通する挿通孔とを有するＬ字状のガイド部材と、前記誘導部を、敷設されるヒューム管の径に応じた位置に移動調整させる複数の移動調整用孔と、を備え、ヒューム管の径に応じた誘導部の移動調整時には、前記挿通孔がヒューム管の径に応じた移動調整用孔と一致するまでＬ字状のガイド部材を移動させ、この状態で固定ボルトを前記挿通孔及び前記移動調整用孔を挿通させて固定することを特徴とする。
【０００９】
上記構成によれば、簡単な構成で且つ安価な管据付位置誘導装置を実現できる。
【００１０】
また、請求項３記載の発明は、請求項１記載の管据付決め位置誘導装置であって、前記保持部材は複数の帯鋼から構成されていることを特徴とする。
【００１１】
上記構成によれば、複数の帯鋼の枚数を調整すれば、保持部材の厚みを調整できる。なお、厚みの異なる複数種類の帯鋼を使用すれば、更に精度の良好な厚み調整が可能となる。
【００１２】
また、請求項４記載の発明は、敷設すべき溝の底部に打設された基台上にヒューム管を敷設する管敷設方法であって、ヒューム管を地上から基台に下降させる下降工程と、下降工程中において、請求項１又は２記載の管据付位置誘導装置を用いてヒューム管を所定据付位置に自動的に誘導する誘導工程と、を含むことを特徴とする。
【００１３】
上記構成によれば、ヒューム管を正確な据付位置に誘導することが可能で、据付作業時間等も極めて短くできる管敷設方法を実現できる。
【００１４】
また、請求項５記載の発明は、請求項４記載の管敷設方法であって、前記誘導工程によって所定位置に誘導されたヒューム管を、水圧ジャッキを駆動して押し込み、既設されているヒューム管に新たなヒューム管を接合する管接合工程を含むことを特徴とする。
【００１５】
上記構成によれば、水圧ジャッキを用いることにより、ヒューム管を真っ直ぐに押し込むことができ、正確で安全な管接合が可能となる。
【発明の効果】
【００１６】
本発明によれば、ヒューム管を正確な据付位置に誘導することが可能で、据付作業時間等も極めて短くなる。
【図面の簡単な説明】
【００１７】
【図１】ヒューム管が敷設溝に配置された状態の断面図。
【図２】ヒューム管を敷設溝に敷設する方法の説明図。
【図３】管据付位置誘導装置の正面図。
【図４】管据付位置誘導装置の平面図。
【図５】径の異なるヒューム管が所定位置に据付けられた状態を示す正面図。
【図６】ヒューム管の接合前の位置と接合後の位置を示す図。
【図７】固定ボルトによってガイド部材が固定されている状態を示す断面図。
【発明を実施するための形態】
【００１８】
以下、本発明を実施の形態に基づいて詳述する。図１はヒューム管が敷設溝に配置された状態の断面図、図２はヒューム管を敷設溝に敷設する方法の説明図、図３は管据付位置誘導装置の正面図、図４は管据付位置誘導装置の平面図、図５は径の異なるヒューム管が所定位置に据付けられた状態を示す正面図、図６はヒューム管の接合前の位置と接合後の位置を示す図である。これらの図面を参照して、本発明に係る管据付位置誘導装置及び管の敷設方法を説明する。
【００１９】
図１に示すように、地面１３には予め敷設溝１０が形成されている。この敷設溝１０には、コンクリート製の基台１１及び横枠１２が打設されている。そして、例えば水道管や下水管等に用いられるヒューム管１は基台１１上に敷設される。ヒューム管１の敷設状態をより詳しく説明すると、複数のヒューム管１は直列に連結されて敷設されている。そして、複数のヒューム管１と基台１１との間には保持部材２６が介在されており、これによってヒューム管が基台１１から所定間隔離れた状態を保持している。このような間隔を保持する理由は、図２に示すようにヒューム管１の外周をワイヤー３で巻付け保持した状態でクレーンフック２により吊り下げて基台１１に降ろす作業を行うため、少なくともヒューム管１に巻付けたワイヤー３の厚み分だけ、ヒューム管１を基台１１から離しておく必要があることによる。
【００２０】
なお、保持部材２６は複数の帯鋼２６ａ（図３参照）を積層して構成されている。帯鋼２６ａは厚みの異なる複数種類が準備されており、適宜厚みの異なる帯鋼２６ａを積層することにより、ヒューム管と基台１１との間隔を所定値に保持することができる。
【００２１】
次いで、図２を参照してヒューム管１を敷設溝１０に敷設する方法の概略を以下に説明する。先ず、ヒューム管１を地上から基台１１に下降させる。具体的には、ヒューム管１の外周をワイヤー３で巻付け保持した状態でクレーンフック２により吊り下げて基台１１に降ろす。この下降作業中において、管据付位置誘導装置４によりヒューム管１が所定据付位置に自動的に誘導される。なお、管据付位置誘導装置４は、基台１１上で且つヒューム管１の端部付近に予め設けられている。
【００２２】
次いで、ヒューム管１が所定据付位置に誘導された後、水圧ポンプ６を動力源とする一対の水圧ジャッキ５を駆動して当該ヒューム管１を、既設のヒューム管１に向けて押し込む。なお、ヒューム管１の端部開口部には、嵌合用段差（一端開口部には凹部、他端開口部には凸部）が形成されており、ヒューム管１の押し込み作業によって嵌合用段差が嵌合することにより、既設のヒューム管１に新たなヒューム管１が接合部Ａにおいて接合固定される。
【００２３】
上記の押し込み作業時において、管据付位置誘導装置４によってヒューム管１が常に所定据付位置に維持するように誘導されるので、当該ヒューム管１が既設のヒューム管１と一直線状となるように押し込むことが可能となり、当該ヒューム管１が既設のヒューム管１とぴったりと接合固定されることになる。よって、従来のような押し込み作業の困難性を克服することができる。
【００２４】
なお、一対の水圧ジャッキ５の固定方法としては、差筋７を利用する。具体的には、アルミ腹起等の水圧支持用横架材８を差筋７に当接させて固定し、水圧支持用横架材８に水圧ジャッキ５を固定する。このように横枠１２の形成のため予め設けられている差筋７を利用して水圧ジャッキ５を固定するので特別の固定具を用いる必要がなく、コストの低減を図ることができる。
また、水圧ジャッキ５をこのように固定し、少し離れた位置から水圧ポンプ６を操作して水圧ジャッキ５を作動させることができるので、作業者は極めて安全にこの作業を行うことができる。
【００２５】
次いで、上記の管据付位置誘導装置４の構成について、図３及び図４を参照して説明する。管据付位置誘導装置４は保持部材２６と板状の基盤２５とを有する。基盤２５は図３の横方向に延存する長手状部材であって、その中央部では図４の下方側に凹んだ凹部空間２５ａが形成されており、この凹部空間２５ａ内に保持部材２６が配置されている。
【００２６】
また、基盤２５には、その両端にハンドル２３が形成されている。更に、基盤２５には、基盤２５を基台１１に仮固定するためのズレ止めアンカー２１（仮固定手段に相当）、基盤２５の高さ調整ボルト２２（高さ調整手段）が設けられている。ズレ止めアンカー２１は、図４の左右方向に一対形成され、計２個設けられている。また、高さ調整ボルト２２は、図４の上下方向に一対（２個）形成され、更に図４の左右方向に四対形成され、計８個設けられている。なお、高さ調整ボルト２２は、少なくとも左右一対があれば充分であるが、前後方向も含めて８個設けるようにしているため、より安定した仮固定状態が得られ、また基盤２５の高さ調整の精度が向上する。なお、基盤２５には水準器２４が設けられており、基盤２５の高さ調整の際に水準器２４により基盤２５の水平状態も同時に調整できるようになっている。
【００２７】
また、基盤２５には、Ｌ字状のガイド部材４０及び、ガイド部材４０を固定するための固定ボルト３０が設けられている。これらガイド部材４０及び固定ボルト３０は、吊り下げられて溝の底部に下降するヒューム管１の外周面に当接してヒューム管１を所定の据付位置に誘導する案内手段を構成する。
【００２８】
Ｌ字状のガイド部材４０は図４の左右方向に一対形成されている。また、固定ボルト３０は図４の上下方向に一対形成され、更に図４の左右方向に一対形成され、計４個設けられている。ガイド部材４０は、基盤２５上に載置される基部４０ａと、基部４０ａから垂直方向に立ち上がる誘導部４０ｂとから構成される。基部４０ａには、固定ボルト３０が挿通する挿通孔８０（図７参照）が形成されている。また、誘導部４０ｂの上端は、敷設のために下降されるヒューム管１の外周面に当接してヒューム管１を所定据付位置に自動的に誘導する働きをなす。
【００２９】
また、基盤２５には、移動調整用挿通孔３０ａが複数形成されている。移動調整用挿通孔３０ａ（図７参照）は、敷設されるヒューム管１の径に応じて図４の左右方向に間隔をあけて形成されている。
【００３０】
次いで、上記構成の管据付位置誘導装置４を用いた管敷設方法を、図２を参照して詳述する。先ず、基台１１とヒューム管１を所定間隔に保持するために、所定厚みに調整された保持部材２６を基台１１に固定する。次いで、基盤２５を保持部材２６の手前に配置する。なお、ガイド部材４０は敷設されるヒューム管１の径に応じて移動調整されている。移動調整作業につき具体的に説明すると、ヒューム管１の径に応じてガイド部材４０を図４の左右方向に移動させ、その位置で固定ボルト３０を挿通孔８０及び移動調整用挿通孔３０ａに挿入させナット３１で固定する。このような構成により、例えば、５種類の径の異なるヒューム管１、１ａ，１ｂ，１ｃ，１ｄを想定すると、図６に示すようにヒューム管１の径に応じてガイド部材４０を移動調整することにより、ヒューム管１、１ａ，１ｂ，１ｃ，１ｄのいずれについても所定据付位置に誘導することができる。
【００３１】
次いで、保持部材２６の手前に配置された基盤２５の高さを、保持部材２６の高さと同じになるように調整ボルト２２を用いて調整する。そして、高さ調整後は、その状態で基盤２５を基台１１に仮固定する。即ち、ズレ止めアンカー２１を基台１１にねじ込み、仮固定する。
【００３２】
次いで、敷設されるヒューム管１を地上から基台１１に下降させる。この下降作業中において、管据付位置誘導装置４によりヒューム管１が所定据付位置に自動的に誘導される。次いで、水圧ジャッキ５を駆動して当該ヒューム管１を、既設のヒューム管１に向けて押し込み、当該ヒューム管１を既設のヒューム管１に接合固定する。
【００３３】
なお、ヒューム管１の押し込み作業を行う前では、図６（１）に示すようにヒューム管１は基盤２５及び保持部材２６によって支持されている。そして、ヒューム管１の押し込み作業完了後では、図６（２）に示すようにヒューム管１は保持部材２６によって支持されている。従って、基盤２５をヒューム管１から取り外すことが可能となっている。
【００３４】
そして、ヒューム管１の接合固定作業が終了した後は、ズレ止めアンカー２１の締め付けを弛め、基盤２５を基台１１から取り外し、次の敷設されるヒューム管１のために所定位置に移動させて使用する。このように保持部材２６は基台１１に固定したままとし、基盤２５は移動して使用する。
【００３５】
上記説明したように管据付位置誘導装置４及び水圧ジャッキ５を用いてヒューム管１を敷設することにより、ヒューム管１を正確な据付位置に誘導することが可能となり、据付作業や接合作業等も極めて短縮化できることになる。
本願発明者の実験によれば、本発明の管据付位置誘導装置４及び水圧ジャッキ５を用いてヒューム管１を敷設すると、それらを用いない従来の施工法に比べて、熟練工ではない経験の少ない者であっても約半分の作業時間で施工することが可能になった。
【産業上の利用可能性】
【００３６】
本発明の管据付位置誘導装置及び管敷設方法は、開削工法によるヒューム管の地中埋設施工法に適用することが可能である。
【符号の説明】
【００３７】
１：ヒューム管              ４：管据付位置誘導装置
５：水圧ジャッキ          １０：敷設溝
１１：基台                  ２１：ズレ止めアンカー
２２：高さ調整ボルト        ２５：基盤
２６：保持部材              ３０：固定ボルト
３０ａ：移動調整用挿通孔      ３１：ナット
４０：ガイド部材          ４０ａ：基部
４０ｂ：誘導部                ８０：挿通孔
【図１】
2017020518.tif 000003
【図２】
2017020518.tif 000004
【図３】
2017020518.tif 000005
【図４】
2017020518.tif 000006
【図５】
2017020518.tif 000007
【図６】
2017020518.tif 000008
【図７】
2017020518.tif 000009